(57)【要約】【課題】    衣服の下衣において、多種多様な体系を考慮しながらも、ブランド側がサイズ別の在庫を抱える事を無くすこと、或いはサイズは一つだが、ウエスト部分に臀部以上の幅の布を巻く、若しくはウエストの長さ調整部としての紐上部を絞って結ぶ形状の下衣に必要とされてきたウエストの長さ調整のための余分な布を設けずに、軽量、コンパクト且つダブつきや着崩れしない動きやすい下衣を提供する。【解決手段】    少なくとも一つのポケットを有する下衣であって、前記ポケットの入り口に対応するウエスト部分の胴囲り方向に設けられた長さ調整部と、前記長さ調整部の端部に設けられた連結可能な連結部とを備えたことを特徴とする下衣である。【選択図】図１
2019015010.tif 000002
【特許請求の範囲】
【請求項１】
少なくとも一つのポケットを有する下衣であって、前記ポケットの入り口に対応するウエスト部分の胴囲り方向に設けられた長さ調整部と、前記長さ調整部の端部に設けられた連結可能な連結部とを備えたことを特徴とする下衣。
【請求項２】
前記連結部は、前記ウエストの長さ調整部の両端部にそれぞれ設けられた、連結部として結ぶことが可能な二本の紐状部を備えたことを特徴とする請求項１に記載の下衣。
【請求項３】
前記連結部は、前記ウエストの長さ調整部の端部に、ボタン、ホック、面ファスナー、バックル、スナップのいずれかの留め具を備えたことを特徴とする請求項１又は２に記載の下衣。
【発明の詳細な説明】
【技術分野】
【０００１】  本発明は、ウエストの長さ調整が可能な下衣に関する。
【背景技術】
【０００２】  衣服の下衣においては、臀部が腹部より太い人体の特徴から、着脱衣の際には下衣のウエスト部分が臀部以上の幅、着用時には腹部幅となる必要がある。【０００３】  従来の下衣は、多種多様な体系を考慮し、ブランド側により一つのデザインに対して幾つかサイズ別に生産されているか、サイズは一つだが、ウエスト部分の胴囲りに臀部以上の幅の布を巻きつけたり、同じく臀部以上のウエスト幅の下衣の上部に紐状部を備え、それを絞ってウエストの長さ調整をする類の下衣がある。
【発明の開示】
【発明が解決しようとする課題】
【０００４】  しかしながら、一つのデザインに対して幾つかサイズ別に生産することは、ブランド側にとって在庫を増やすことと、特定のサイズのみが売れた場合には、他のサイズの売れ残りが売りにくくなるといった問題点がある。
また、臀部以上の幅の布をウエスト部分の胴囲りに巻きつけたり、臀部以上のウエスト幅の下衣の上部に備えられた紐状部で絞ってウエストの長さ調整する類の下衣は、生地のダブつきや着崩れ、又、巻き付けた部分が開けた際に肌が露出しないために生地を二層にしたり、臀部以上の幅の布をウエスト幅に絞るために、着用時ウエスト幅に必要な分量以上にとった布による、重みとかさばり等の問題点がある。【０００５】  本発明は、このような従来の問題を解決しようとするもので、多種多様な体系を考慮しながらも、サイズ別の在庫を抱える事を無くすことと、巻く若しくは絞って結ぶ形状の下衣に必要とされてきたウエストの長さ調整のための余分な布を設けずに、軽量、コンパクト且つダブつきや着崩れしない動きやすい下衣を提供することを目的とするものである。
【課題を解決するための手段】
【０００６】  前記課題を解決するための本発明は、少なくとも一つのポケットを有する下衣であって、前記ポケットの入り口に対応するウエスト部分の胴囲り方向に設けられた長さ調整部と、前記長さ調整部の端部に設けられた連結可能な連結部とを備えたことを特徴とする下衣である。
【発明の効果】
【０００７】  本発明によれば、ブランド側のサイズ別余剰在庫負担防止の効果と、巻きつける若しくは、臀部以上のウエスト幅の下衣の上部に備えられた紐状部で絞ってウエストの長さ調整する形状の下衣に必要とされてきた余分な布を設けないことで、製品の軽量化並びにコンパクト化、布のダブつきや着崩れ防止の効果となる。
【発明を実施するための形態】
【０００８】  下衣は、パンツやスカート等、下半身に身につける衣服を意味する。ここでは、ウエストの長さ調整部の連結可能な連結部として、二本の紐状部を設けたパンツを例に説明する。
本発明の下衣は、図１に示されるように、ウエスト部分の胴囲り方向に設けられたウエストベルト３の下辺に接して、パンツ本体１上に少なくとも一つのポケットを有する。
ウエストベルト３の延長線上、ポケット口切り替わり部７から開閉ポケット２の上部に、帯状、本体１と同じ素材の布による開閉ベルト４が、ウエストの長さ調整部として備えられ、その両端部に、連結可能な連結部として、結ぶ事が可能な前留め紐５と後ろ留め紐６を備えている。
【０００９】  図２は、着脱衣、及びウエストの長さ調整の際の開閉ポケット２開き時のパンツ外観図であり、その構造と、ウエストの長さ調整の幅を示す。
着用する際は図２に示すように、開閉ポケット２をパンツの外側へ開いた状態でａとｂに足を通し、開閉ベルト４とウエストベルト３を体のウエストの高さまで持ち上げる。この状態のウエスト幅は図２で示すＷ９であり、Ｗ８は開閉ポケット２を閉めた時の幅を示す。具体的な数字を用いて例えると、開閉ポケット２を閉めた状態のウエストサイズが６８ｃｍとして、開閉ポケット２を開き時は、開閉ベルト４の横幅例えて２２ｃｍを６８ｃｍに足した計９０ｃｍが、開閉ポケット開き時最大のウエストサイズとなる。これは、日本の女性服におけるパンツの標準ウエストサイズのＳからＬまで含む幅である。
【００１０】  図３は、パンツの開閉ポケット２側側面上部の拡大図である。通常のポケットとの違いは、ウエスト部分の胴囲り方向、ウエストベルト３延長線上のポケット切り替わり部７のところから、帯状の開閉ベルト４をポケット上部に有する点であり、これを備える事で、ポケット上部がウエストベルト３から独立し、ポケット上部横幅部分がウエスト部分の胴囲り方向外側へ開く構造となる。
【００１１】  次に、着用の際開いた状態の開閉ポケット２がパンツ本体１へ納められる構造について、図４を用いて説明する。
まず開閉ポケットが開いた状態で両足をパンツ本体１へ入れ、開閉ベルト４を有するウエストベルト３を体のウエストの高さまで持ち上げる。次に、左手を開閉ポケット２へ差し入れると、外側へ出ていた開閉ポケット２の上部がパンツ本体１内側、前見頃側へ戻る。その状態で、連結可能な連結部にあたる前留め紐５と後ろ留め紐６を個々のウエストの長さに合わせて結ぶ事で、開閉ポケット２の上部が閉じられ、ウエストの長さが調整された状態で固定される。上部が固定された開閉ポケット２は、そのポケット入り口１１のみが開いた、通常のポケットとして機能するようになる。
また、連結可能な連結部としての前留め紐５と後ろ留め紐６を結ぶ際、開閉ベルト４の横幅分がウエストの長さ調整の範囲となる。具体的な数字を用いて例えると、開閉ベルト４を２２ｃｍの横幅で設けた場合、０から２２ｃｍの範囲内でウエストの長さ調整が可能である。
【００１２】  図５は着用時の図であり、この様に開閉ベルト４を備えた開閉ポケット２は、パンツ本体１の内側前見頃側へ畳まれ収納される。この時、開閉ポケット２の、外側側面１２はパンツ本体１に縫い込まれており、開閉ポケット２上部は前留め紐５と後ろ留め紐６の連結部にて固定されるため、この状態の開閉ポケット２は、そのポケット入り口１１以外の三辺がパンツ本体１に固定された、通常のポケットとして機能する。これにより、臀部以上の幅の布をウエスト部分の胴囲りに巻きつけたり、紐状部で絞ってウエストの長さ調整する類の下衣に必要とされていた余分な布をとる事無く、開閉ポケット２の内布を利用してウエストの長さ調整を可能にするため、従来の余分な布によるダブつきや着崩れを防止する効果となると共に軽量化とコンパクト化が実現可能である。
【００１３】  図６は、実際に開閉ポケットを配したパンツのサンプル写真である。
比較する為に、２は開閉ポケット、１０は通常の開閉しないポケットである。
【００１４】  図７で示すように、通常ポケット１０の上辺１３とパンツ本体１の上辺１４は共に、ウエストベルト３の下辺へ縫い合わされているため、通常ポケット１０の上部は固定されて開かないが、開閉ポケット２の上辺１５には、ウエストベルト３から切り替わった帯状の開閉ベルト４が備えられている。この構造により、本来パンツ本体１とウエストベルト３へ縫い込み固定され開かないポケットの上部が、パンツ本体１とウエストベルト３から独立して、ウエスト部分の胴囲り方向へ開閉可能な構造になる。
【００１５】  図８で示すのは、開閉ベルト４を備える開閉ポケット２を、ウエスト部分の胴囲り方向外側へ全開に開いたパンツの外観図である。
開閉ベルト４の横幅及び開閉ポケット２の上部横幅がウエスト部分の胴囲り方向外側へ開く。これにより、閉めた状態でＷ８のウエスト幅が、開くとＷ９のウエスト幅にまで広がる。つまり、ウエストベルト３の横幅部分がＷ８であり、そこへ開閉ベルト４の横幅分を足すとＷ９になる。
【００１６】  図９は、パンツの開閉ポケット２側側面を上面として、畳んで置いた状態での前記パンツ上部拡大図である。
ウエストベルト３の延長線上、ポケット切り替わり部７に、連結可能な連結部である前留め紐５と後ろ留め紐６をそれぞれ挟み込み、その間に帯状の開閉ベルト４が、開閉ポケット２の上部に備えられている。
ここで示す実施例ではウエストサイズ調整のための連結可能な連結部として、前留め紐５と後ろ留め紐６を例に挙げているが、留め紐の代わりにボタン、ホック、面ファスナー、バックル等の留め具で代替も可能である。
【００１７】  図１０は、パンツの前見頃側を上面に平らに置き、開閉ポケット２を開く様子を、ウエスト入り口側から見た拡大図である。前留め紐５と後ろ留め紐６の間、開閉ベルト４を備えた開閉ポケット２が、ウエスト部分の胴囲り方向へ開く。
【００１８】  図１１は、開閉ポケット２がパンツ本体１内側に納められた状態をウエスト入り口側から見た拡大図である。着用並びにウエストの長さ調整の際はこの状態で前留め紐５と後ろ留め紐６を結び固定する。
【００１９】  図１２は、パンツを裏返した状態の前見頃側外観図であり、ここではパンツの裏側から見た開閉ポケット２と通常ポケット１０の構造の違いを示す。
通常ポケット１０の上辺１３に縫い合わされているのがウエストベルト３なのに対して、開閉ポケット２の上辺１５に縫い合わされているのは開閉ベルト４である。
【００２０】  図１３は、パンツを裏返した状態、前見頃側外観図であり、開閉ベルト４を備えた開閉ポケット２がウエスト部分の胴囲り方向へ開閉する構造を、通常ポケットと比較して示す。
通常ポケット１０の上辺１３はウエストベルト３の下辺と、通常ポケット１０の下、パンツ本体１の上辺へ縫い合わされているため、通常ポケット１０の上部は前記３辺が固定されている。一方開閉ポケット２の上辺１５には、ウエストベルト３延長線上、ポケット切り替わり部７の地点から配された帯状の開閉ベルト４の下辺が縫い合わされている。これが、ウエストベルト３とパンツ本体１に対し、開閉ベルト４と開閉ポケット２をそれぞれ別に縫い、そのパーツ同士を７から続く１６縦方向に縫い合わせる事により、開閉ベルト４を備えた開閉ポケット２がウエストベルト３並びにパンツ本体１から独立し、ウエスト部分の胴囲り方向への開閉が自由になる仕組みである。
【産業上の利用可能性】
【００２１】上記の発明は、衣服の下衣において、脱着衣及びウエストの長さ調整が可能な開閉ポケットを有する下衣として利用可能である。
【図面の簡単な説明】
【００２２】
【図１】本発明にかかる開閉ポケットを有するパンツの、前記開閉ポケット閉め時の外観図。
【図２】本発明にかかる開閉ポケットを有するパンツの、前記開閉ポケット開き時の外観図。
【図３】開閉ポケット開き時、前記開閉ポケット側パンツ上部側面の拡大図。
【図４】開閉ポケットを閉める工程を示すパンツ上部の拡大図。
【図５】開閉ポケットを有するパンツ着用時の前記パンツ上部拡大図。
【図６】開閉ポケットと、通常ポケットの両方を備えたパンツの実際のサンプル写真、前記開閉ポケット閉め時の外観図。
【図７】開閉ポケットと、通常ポケットの両方を備えたパンツの実際のサンプル写真、前記開閉ポケット一部開き時の外観図。
【図８】開閉ポケットと、通常ポケットの両方を備えたパンツの実際のサンプル写真、前記開閉ポケット全開時の外観図。
【図９】本発明にかかる開閉ポケットを備えたパンツの実際のサンプル写真、前記開閉ポケット側面を上面として、前記パンツを畳んで置いた状態での上部拡大図。
【図１０】開閉ポケットと、通常ポケットの両方を備えたパンツの実際のサンプル写真、前見頃を上面として平らに置き、前記開閉ポケットを開く様子をウエスト入り口側から示す拡大図。
【図１１】開閉ポケットと、通常ポケットの両方を備えたパンツの実際のサンプル写真、前記開閉ポケットがパンツ本体１内側に納められた状態をウエスト入り口側から示す拡大図。
【図１２】開閉ポケットと、通常ポケットの両方を備えたパンツの実際のサンプルを裏返した状態の前見頃側外観図。
【図１３】開閉ポケットと、通常ポケットの両方を備えたパンツの実際のサンプルを裏返した状態の前見頃側、前記開閉ポケットをウエスト部分の胴囲り方向外側へ開いた外観図。
【符号の説明】
【００２３】      １・・・パンツ本体
２・・・開閉ポケット
３・・・ウエストベルト
４・・・開閉ベルト
５・・・前留め紐
６・・・後ろ留め紐
７・・・ポケット切り替わり部
Ｗ８・・・ウエスト幅
Ｗ９・・・ウエスト幅
１０・・・通常ポケット
１１・・・開閉ポケット入り口
【図１】
2019015010.tif 000003
【図２】
2019015010.tif 000004
【図３】
2019015010.tif 000005
【図４】
2019015010.tif 000006
【図５】
2019015010.tif 000007
【図６】
2019015010.tif 000008
【図７】
2019015010.tif 000009
【図８】
2019015010.tif 000010
【図９】
2019015010.tif 000011
【図１０】
2019015010.tif 000012
【図１１】
2019015010.tif 000013
【図１２】
2019015010.tif 000014
【図１３】
2019015010.tif 000015